(57)【要約】      （修正有）【課題】簡単安価な構造で球面収差補正を正常に行なう。【解決手段】球面収差補正機構３が、球面収差補正レンズ４を一端部に取り付けたレンズホルダを有し、該レンズホルダがその中央ボス部６Ａをメインシャフト７に移動可能に嵌合させることにより球面収差補正レンズ４を通る光軸Ｏに沿って移動可能に形成されたディスク装置において、メインシャフト７が四角棒状に形成されてレンズホルダの中央ボス部６ａの四角形状の貫通孔１８に移動可能に挿通され、ねじりコイルばねからなる隙間調整ばね２０のループ部２０ａを中央ボス部６ａに外嵌させ、そのばね２０の一端部２０ｂをレンズホルダの突条部６Ｂに係合させると共に、そのばね２０の他端部２０ｃをスライドベース１のメインシャフト７と平行する長孔２１に係合させている。【選択図】図２
2011060375.tif 000002
【特許請求の範囲】
【請求項１】
ディスクの半径方向に沿って移動可能なスライドベースに対物レンズとレーザダイオー
ドとを備えた光ピックアップが設けられ、前記対物レンズとレーザダイオードとの間に配
置された球面収差補正レンズを往復移動させるための球面収差補正機構が設けられ、該球
面収差補正機構が、球面収差補正レンズを一端部に取り付けたレンズホルダを有し、該レ
ンズホルダがその中央ボス部をメインシャフトに移動可能に嵌合させることにより球面収
差補正レンズを通る光軸に沿って移動可能に形成され、リードスクリューに螺合するリー
ドナットがレンズホルダに係合され、該レンズホルダをリードナットに押し付けるホルダ
押さえばねが設けられており、リードスクリューを正逆回転させてリードナット及びレン
ズホルダを介して球面収差補正レンズを光軸に沿って往復移動させることにより球面収差
を補正し、レーザダイオードからレーザ光を球面収差補正レンズ及び対物レンズを通って
ディスクに投射し、その反射光に基づいてディスクに記録されている情報を読み取るよう
にしたディスク装置において、前記メインシャフトが多角棒状に形成されてレンズホルダ
の中央ボス部の多角形状貫通孔に移動可能に挿通されていることを特徴とするディスク装
置。
【請求項２】
レンズホルダをメインシャフトの横断方向に押して該レンズホルダの中央ボス部の貫通
孔内周面をメインシャフトの外周面に押し付ける隙間調整ばねが設けられていることを特
徴とする請求項１に記載のディスク装置。
【請求項３】
前記隙間調整ばねがねじりコイルばねからなり、該ばねのループ部を前記中央ボス部に外
嵌させ、そのばねの一端部をレンズホルダに係合させると共に、そのばねの他端部をスラ
イドベースのメインシャフトと平行する長孔に移動可能に係合させていることを特徴とす
る請求項２に記載のディスク装置。
【請求項４】
前記長孔にスライダが移動可能に係合され、該スライダに前記隙間調整ばねの他端部が
係止されていることを特徴とする請求項３に記載のディスク装置。
【発明の詳細な説明】
【技術分野】
【０００１】
本発明は、例えばＢｌｕ−ｒａｙ  Ｄｉｓｃ式のレコーダ（またはプレーヤ）などのデ
ィスク装置に関し、特に、簡単安価な構造で球面収差補正を正常に行なうことができるよ
うにしたものである。
【背景技術】
【０００２】
図５の概略図はディスク装置の一例を示すものであり、これはＢｌｕ−ｒａｙ  Ｄｉｓ
ｃ式のレコーダ（またはプレーヤ）であって、ディスクＤの半径方向に沿って移動可能な
スライドベース１に対物レンズＯＬとレーザダイオードＬＤとを備えた光ピックアップ２
が設けられ、球面収差補正機構３により往復移動される球面収差補正レンズ４が対物レン
ズＯＬとレーザダイオードＬＤとの間に配置され、前記球面収差補正レンズ４としてコリ
メートレンズを用いることにより、球面収差を補正する機能とコリメート（収束）させる
機能とを併せ持たせている。なお、ＰＢＳは偏光ビームスプリッタである。
【０００３】
従来、球面収差補正機構３の一例として図６及び図７に示すものがあり、図６は同平面
図、図７（ａ）はＣ−Ｃ矢視図、図７（ｂ）はＤ−Ｄ矢視図、図７（ｃ）はＥ−Ｅ矢視図
である。
【０００４】
図６及び図７に示すように、球面収差補正機構３は、球面収差補正レンズ４を一端部に
取り付けたレンズホルダ６を有し、該レンズホルダ６の中央ボス部６Ａをスライドベース
１に固定したメインシャフト７に移動可能に嵌合させ、そのレンズホルダ６の他端部側面
に凹設した凹溝８をスライドベース１に一体形成したガイドシャフト９に移動可能に嵌合
させることにより、球面収差補正レンズ４を通る光軸Ｏに沿ってレンズホルダ６が矢印ａ
，ｂ方向に移動可能に形成されている。
【０００５】
図６及び図７に示すように、レンズホルダ６の一側縁６ａの中央ボス部６Ａと凹溝８と
の間に切り欠き溝１０が形成され、モータ１１により正逆回転されるリードスクリュー１
２がメインシャフト７と平行して切り欠き溝１０に遊嵌入され、該リードスクリュー１２
にリードナット１３が螺合され、該リードナット１３の上端に一体突設した突起部１３ａ
がレンズホルダ６の他側縁６ｂに一体突設した突条部６Ｂを切り欠いて形成した回り止め
溝１４に嵌入され、メインシャフト７に遊外嵌するコイル状ホルダ押さえばね１５により
レンズホルダ６がリードナット１３に押し付けられている。図６中、１６はリードナット
１３がリードスクリュー１２から離脱されるのを阻止する板ばねである。
【０００６】
情報読取手順を説明すると、レーザダイオードＬＤから球面収差補正レンズ４及び対物
レンズＯＬを通ってレーザ光をディスクＤに投射すると共に、モータ１１を駆動してリー
ドスクリュー１２を正逆回転させることにより、リードナット１３も正逆回転ｃ，ｄされ
、該リードナット１３の突起部１３ａを回り止め溝１４の内側面１４ａ，１４ｂに当てる
ことにより、該リードナット１３とレンズホルダ６とを一体的に矢印ａ，ｂ方向に移動さ
せ、これによって、球面収差補正レンズ４を光軸Ｏに沿って往復移動させて球面収差を補
正し、ディスクＤの記録面で反射された反射光に基づいて情報を読み取り、映像の再生や
記録を行う。なお、関連する技術として特許文献１に記載したものがある。
【先行技術文献】
【特許文献】
【０００７】
【特許文献１】特開平１０−２０１７７号公報
【発明の概要】
【発明が解決しようとする課題】
【０００８】
上記従来の構成では、円柱状に形成したメインシャフト７がレンズホルダ６の中央ボス
部６Ａの円形状貫通孔１８に挿通されて、該メインシャフト７を中心にレンズホルダ６が
揺動ｅ，ｆ可能に形成されているので、モータ１１を駆動してリードスクリュー１２を正
逆回転させることにより、リードナット１３が正転ｃされると、該リードナット１３の突
起部１３ａが回り止め溝１４の一方の内側面１４ａに当たってレンズホルダ６が矢印ｅ方
向に押され、リードナット１３が逆転ｄされると、該リードナット１３の突起部１３ａが
回り止め溝１４の他方の内側面１４ｂに当たってレンズホルダ６が矢印ｆ方向に押され、
その結果、レンズホルダ６がメインシャフト７を中心に揺動ｅ，ｆされ、球面収差補正レ
ンズ４の中心も揺れて光軸Ｏに対し位置ずれし、球面収差補正に誤差が生じるおそれがあ
り、それを防止するため、図７（ａ）に示すように、凹溝８の両ガイドシャフト当接面８
ａ，８ｂとガイドシャフト９の両ガイド面９ａ，９ｂとを摺動可能に密接させている。
【０００９】
上記構成では、凹溝８の両ガイドシャフト当接面８ａ，８ｂ及びガイドシャフト９の両
ガイド面９ａ，９ｂの４面をそれぞれ精密に仕上げる必要があり、手間と時間がかかって
、製作費が高くつく。
【００１０】
上記のように精密に仕上げても、凹溝８のガイドシャフト当接面８ａ，８ｂとそれに対
向するガイドシャフト９のガイド面９ａ，９ｂとの間にわずかな隙間が生じ、その隙間の
存在により、レンズホルダ６がメインシャフト７を中心にわずかに揺動ｅ，ｆされ、球面
収差補正レンズ４の中心も揺れて光軸Ｏに対し位置ずれし、球面収差補正に誤差が生じる
おそれがある。
【００１１】
本発明は、上記従来の欠点に鑑み、簡単安価な構造で球面収差補正を正常に行なうこと
ができるようにしたディスク装置を提供することを目的としている。
【課題を解決するための手段】
【００１２】
上記目的を達成するため、請求項１に記載の発明は、ディスクの半径方向に沿って移動
可能なスライドベースに対物レンズとレーザダイオードとを備えた光ピックアップが設け
られ、前記対物レンズとレーザダイオードとの間に配置された球面収差補正レンズを往復
移動させるための球面収差補正機構が設けられ、該球面収差補正機構が、球面収差補正レ
ンズを一端部に取り付けたレンズホルダを有し、該レンズホルダがその中央ボス部をメイ
ンシャフトに移動可能に嵌合させることにより球面収差補正レンズを通る光軸に沿って移
動可能に形成され、リードスクリューに螺合するリードナットがレンズホルダに係合され
、該レンズホルダをリードナットに押し付けるホルダ押さえばねが設けられており、リー
ドスクリューを正逆回転させてリードナット及びレンズホルダを介して球面収差補正レン
ズを光軸に沿って往復移動させることにより球面収差を補正し、レーザダイオードからレ
ーザ光を球面収差補正レンズ及び対物レンズを通ってディスクに投射し、その反射光に基
づいてディスクに記録されている情報を読み取るようにしたディスク装置において、前記
メインシャフトが多角棒状に形成されてレンズホルダの中央ボス部の多角形状貫通孔に移
動可能に挿通されていることを特徴としている。
【００１３】
請求項２に記載の発明は、請求項１に記載の発明において、レンズホルダをメインシャ
フトの横断方向に押して該レンズホルダの中央ボス部の貫通孔内周面をメインシャフトの
外周面に押し付ける隙間調整ばねが設けられていることを特徴としている。
【００１４】
請求項３に記載の発明は、請求項２に記載の発明において、前記隙間調整ばねがねじり
コイルばねからなり、該ばねのループ部を前記中央ボス部に外嵌させ、そのばねの一端部
をレンズホルダに係合させると共に、そのばねの他端部をスライドベースのメインシャフ
トと平行する長孔に移動可能に係合させていることを特徴としている。
【００１５】
請求項４に記載の発明は、請求項３に記載に発明において、前記長孔にスライダが移動
可能に係合され、該スライダに前記隙間調整ばねの他端部が係止されていることを特徴と
している。
【発明の効果】
【００１６】
請求項１に記載の発明によれば、レンズホルダを光軸に沿って移動可能に支持するメイ
ンシャフトが多角棒状に形成されて該レンズホルダの回り止め機能を有しているから、従
来の回り止めのための凹溝やガイドシャフトが不要であって、その不要となった分を省略
することにより、光ピックアップに要求される小型軽量化に適応することができると共に
、構造が簡単になり、製作費が安くつく。
【００１７】
請求項２に記載の発明によれば、隙間調整ばねでレンズホルダの中央ボス部の貫通孔内
周面をメインシャフトの外周面に押し付けることにより、その中央ボス部の貫通孔とメイ
ンシャフトとの間の隙間を片寄せし、これによって、レンズホルダをメインシャフトに沿
って往復移動させる際にガタつかないようにすることができる。
【００１８】
請求項３に記載の発明によれば、ねじりコイルばねからなる隙間調整ばねのループ部を
中央ボス部に外嵌させ、該ばねの一端部をレンズホルダに係合させると共に、そのばねの
他端部をスライドベースの長孔に係合させるだけで、その隙間調整ばねを簡単にセットす
ることができる。
【００１９】
請求項４に記載の発明によれば、隙間調整ばねの他端部がスライダを介して長孔に移動
可能に係合されているので、レンズホルダをメインシャフトに沿って一層円滑に往復移動
させることができる。
【図面の簡単な説明】
【００２０】
【図１】本発明の実施の一形態であるディスク装置の平面図である。
【図２】（ａ）はＡ−Ａ矢視図、（ｂ）は同要部の拡大横断面図である。
【図３】同分解斜視図である。
【図４】（ａ）は本発明の実施の他の形態であるディスク装置の横断面図、（ｂ）はＢ−Ｂ矢視図である。
【図５】ディスク装置の概略図である。
【図６】従来例を示す平面図である。
【図７】（ａ）はＣ−Ｃ矢視図、（ｂ）はＤ−Ｄ矢視図、（ｃ）はＥ−Ｅ矢視図である。
【発明を実施するための形態】
【００２１】
図１〜図３は本発明の実施の一形態であるディスク装置を示すものであり、これはＢｌ
ｕ−ｒａｙ  Ｄｉｓｃ式のレコーダ（またはプレーヤ）であって、メインシャフト７が四
角棒状に形成されてレンズホルダ６の中央ボス部６ａの四角形状の貫通孔１８に移動可能
に挿通され、ねじりコイルばねからなる隙間調整ばね２０のループ部２０ａを中央ボス部
６ａに外嵌させ、そのばね２０の一端部２０ｂをレンズホルダ６の突条部６Ｂに係合させ
ると共に、そのばね２０の他端部２０ｃをスライドベース１のメインシャフト７と平行す
る長孔２１に係合させている。
【００２２】
図２（ｂ）に示すように、メインシャフト７の４つの外周面７ａ〜７ｄとそれに対向す
る貫通孔１８の４つの内周面１８ａ〜１８ｄとのうち、隙間調整ばね２０の押圧力Ｆによ
り、メインシャフト７の２つの外周面７ａ，７ｂに貫通孔１８の２つの内周面１８ａ，１
８ｂが押し付けられ、そのメインシャフト７と貫通孔１８との間にわずかに生じる隙間α
をメインシャフト７の残り２つの外周面７ｃ，７ｄと貫通孔１８の残り２つの内周面１８
ｃ，１８ｄとの間に片寄せしている。上記以外の構成は図５〜図７に示す構成とほぼ同じ
であるから、同一部分に同一符号を付してその説明を省略する。
【００２３】
球面収差の補正手順を説明すると、モータ１１を駆動してリードスクリュー１２を正逆
回転させることにより、リードナット１３が正転ｃされると、該リードナット１３の突起
部１３ａが回り止め溝１４の一方の内側面１４ａに当たってレンズホルダ６が矢印ｅ方向
に押され、貫通孔１８の内周面１８ａがメインシャフト７の外周面７ａに当たって、その
レンズホルダ６が矢印ｅ方向に揺動されるのが阻止され、リードナット１３が逆転ｄされ
ると、該リードナット１３の突起部１３ａが回り止め溝１４の他方の内側面１４ｂに当た
ってレンズホルダ６が矢印ｆ方向に押され、貫通孔１８の内周面１８ｂがメインシャフト
７の外周面７ｂに当たって、そのレンズホルダ６が矢印ｆ方向に揺動されるのが阻止され
、これによって、レンズホルダ６をメインシャフト７に沿って矢印ａ，ｂ方向に移動させ
、球面収差補正レンズ４を光軸Ｏに沿って往復移動させて球面収差を補正し、ディスクＤ
の記録面で反射された反射光に基づいて情報を読み取り、映像の再生や記録を行う。
【００２４】
上記構成によれば、レンズホルダ６を光軸Ｏに沿って移動可能に支持するメインシャフ
ト７が四角棒状に形成されて該レンズホルダ６の回り止め機能を有しているから、従来の
回り止めのための凹溝８やガイドシャフト９が不要であって〔図７（ａ）参照〕、その不
要となった分を省略することにより、光ピックアップ２に要求される小型軽量化に適応す
ることができると共に、構造が簡単になり、製作費が安くつく。
【００２５】
また、隙間調整ばね２０でレンズホルダ６の中央ボス部６Ａの貫通孔１８の内周面１８
ａ，１８ｂをメインシャフト７の外周面７ａ，７ｂに押し付けることにより、その中央ボ
ス部６Ａの貫通孔１８とメインシャフト７との間の隙間αを片寄せし、これによって、レ
ンズホルダ６をメインシャフト７に沿って往復移動させる際にガタつかないようにするこ
とができる。
【００２６】
更に、ねじりコイルばねからなる隙間調整ばね２０のループ部２０ａを中央ボス部６Ａ
に外嵌させ、該ばね２０の一端部２０ｂをレンズホルダ６に係合させると共に、そのばね
２０の他端部２０ｃをスライドベース１の長孔２１に係合させるだけで、その隙間調整ば
ね２０を簡単にセットすることができる。
【００２７】
図４は本発明の実施の他の形態であるディスク装置を示すものであり、これはＢｌｕ−
ｒａｙ  Ｄｉｓｃ式のレコーダ（またはプレーヤ）であって、長孔２１に移動可能に嵌入
する長円状スライダ本体２３ａと、該スライダ本体２３ａに一体形成されてスライドベー
ス１に当接する鍔部２３ｂとからなるスライダ２３を有し、該スライダ２３に隙間調整ば
ね２０の他端部２０ｃが係止されている。上記以外の構成及び作用は図１〜図３に示す実
施の一形態とほぼ同じであるから、同一部分に同一符号を付してその説明を省略する。
【００２８】
上記構成によれば、隙間調整ばね２０の他端部２０ｃがスライダ２３を介して長孔２１
に移動可能に係合されているので、レンズホルダ６をメインシャフト７に沿って一層円滑
に往復移動させることができる。
【産業上の利用可能性】
【００２９】
上記実施の形態では、メインシャフト７及び貫通孔１８の横断面形状を四角形に形成し
たが、これに限定されるわけではなく、その横断面形状を六角形や八角形などの多角形に
形成してもよい。
【符号の説明】
【００３０】
１              スライドベース
２              光ピックアップ
３              球面収差補正機構
４              球面収差補正レンズ
６              レンズホルダ
６Ａ            レンズホルダの中央ボス部
７              メインシャフト
１２            リードスクリュー
１３            リードナット
１５            ホルダ押さえばね
１８            貫通孔
２０            隙間調整ばね
２１            長孔
２３            スライダ
Ｄ              ディスク
ＯＬ            対物レンズ
ＬＤ            レーザダイオード
Ｏ              光軸
【図１】
2011060375.tif 000003
【図２】
2011060375.tif 000004
【図３】
2011060375.tif 000005
【図４】
2011060375.tif 000006
【図５】
2011060375.tif 000007
【図６】
2011060375.tif 000008
【図７】
2011060375.tif 000009